(57)【要約】【課題】アクティブ受信強化機能を有し、低コストで、使用が便利な条件下で、無線通信システムの受信能力と通信品質を強化できる外付けアンテナ及び無線通信システムを提供する。【解決手段】無線通信システムは、外付けアンテナと、通信ホストと、を含み、外付けアンテナは、第一のアンテナ素子と、第二のアンテナ素子と、論理判断回路と、スイッチング回路と、を含む。第一のアンテナ素子は、通信ホストが受信モードで動作する時、無線信号を受信するのに用いられる。第二のアンテナ素子は、通信ホストが送信モードで動作する時、無線信号を送信するのに用いられる。論理判断回路は、通信ホストに結合され、通信ホストが受信モードまたは送信モードで動作するのか否か判断し、判断結果を発生させるのに用いられる。スイッチング回路は、論理判断回路に結合され、判断結果に基づき、第一のアンテナ素子または第二のアンテナ素子に選択的に結合されるのに用いられる。【選択図】図２
2019122026.tif 000002
【特許請求の範囲】
【請求項１】
受信モード及び送信モードで動作する通信ホストに用いられる外付けアンテナであって、
前記通信ホストが前記受信モードで動作する時、無線信号を受信する第一のアンテナ素子と、
前記通信ホストが前記送信モードで動作する時、前記無線信号を送信する第二のアンテナ素子と、
前記通信ホストに結合され、前記通信ホストが前記受信モードまたは前記送信モードで動作するのか否か判断し、判断結果を発生させる論理判断回路と、
前記論理判断回路に結合され、前記判断結果に基づき、前記第一のアンテナ素子または前記第二のアンテナ素子に選択的に結合されるスイッチング回路と、
を含む外付けアンテナ。
【請求項２】
前記第一のアンテナ素子と前記第二のアンテナ素子は、それぞれ前記外付けアンテナの延伸方向上で対向する両端に配置される、
請求項１に記載の外付けアンテナ。
【請求項３】
前記第一のアンテナ素子と前記スイッチング回路の間に結合され、前記第一のアンテナ素子が受信した前記無線信号を増幅する増幅回路をさらに含む、
請求項１に記載の外付けアンテナ。
【請求項４】
前記論理判断回路は、ダイオードと、コンパレータと、を含み、前記コンパレータは、前記通信ホストに結合され、前記ダイオードは、前記コンパレータと前記スイッチング回路の間に結合される、
請求項１に記載の外付けアンテナ。
【請求項５】
前記判断結果がローレベル信号である時、前記スイッチング回路は、前記第一のアンテナ素子に結合され、前記判断結果がハイレベル信号である時、前記スイッチング回路は、前記第二のアンテナ素子に結合される、
請求項１に記載の外付けアンテナ。
【請求項６】
前記第一のアンテナ素子は、前記外付けアンテナの前記通信ホストから遠い一端に配置され、前記第二のアンテナ素子は、前記外付けアンテナの前記通信ホストに近い他端に配置される、
請求項１に記載の外付けアンテナ。
【請求項７】
前記通信ホストに結合され、前記通信ホストから直流電源を受信する第一の入出力インターフェースと、
前記通信ホストに結合される第二の入出力インターフェースと、をさらに含み、
前記論理判断回路は、前記第二の入出力インターフェースによって前記無線信号を伝送する、
請求項１に記載の外付けアンテナ。
【請求項８】
前記第一のアンテナ素子と前記第二のアンテナ素子は、第一の周波数帯と第二の周波数帯をカバーする、
請求項１に記載の外付けアンテナ。
【請求項９】
通信ホストと、
前記通信ホストに結合される、請求項１に記載の外付けアンテナと、を含む、
無線通信システム。
【請求項１０】
前記通信ホストと前記外付けアンテナを電気的に接続し、前記通信ホストから電源を前記外付けアンテナに提供する伝送線と、をさらに含み、
前記通信ホストに接続されるインターフェースが標準ユニバーサルシリアルバス（Ｕｎｉｖｅｒｓａｌ  Ｓｅｒｉａｌ  Ｂｕｓ，ＵＳＢ）インターフェースであり、
前記外付けアンテナに接続されるインターフェースがマイクロユニバーサルシリアルバス（Ｍｉｃｒｏ  ＵＳＢ）インターフェースである、
請求項９に記載の無線通信システム。
【発明の詳細な説明】
【技術分野】
【０００１】
本発明は無線ネットワーク通信技術に関し、特にアクティブ受信強化機能を有する外付けアンテナ及び無線通信システムに関する。
【背景技術】
【０００２】
ネットワーク通信の普及に伴い、より多くの場所に、無線ＬＡＮ（Ｗｉｒｅｌｅｓｓ  ＬＡＮ：ＷＬＡＮ）の無線基地局（Ｗｉｒｅｌｅｓｓ  Ａｃｃｅｓｓ  Ｐｏｉｎｔ，ＷＡＰ）が設置され、より多くの無線インターネットの環境が作られている。一般的に、無線基地局は、信号範囲の辺縁では、信号が不安定な状況を有し、特に、リモートクライアント（Ｃｌｉｅｎｔ）（例えば、携帯電話、ノートパソコン等）の伝送電力は、無線基地局より小さく、無線基地局の伝送信号の送信範囲内であったとしても、リモートクライアントが送信する無線信号を受信することは、依然として微弱すぎて識別が困難であることから、如何にして、既存材料部品を用い、通信法規を違反しない前提の下で、無線基地局の信号受信能力を増加するかは、重要な課題となっている。
【発明の概要】
【発明が解決しようとする課題】
【０００３】
本発明は、アクティブ受信強化機能を有し、低コストで、使用が便利な条件下で、無線通信システムの受信能力と通信品質を強化できる外付けアンテナ及び無線通信システムを提供する。
【課題を解決するための手段】
【０００４】
本発明の実施形態における外付けアンテナは、通信ホストに結合されるのに適しており、第一のアンテナ素子と、第二のアンテナ素子と、論理判断回路と、スイッチング回路とからなるアンテナ完成品である。通信ホストは、受信モード及び送信モードで動作できる。第一のアンテナ素子は、通信ホストが受信モードで動作する時、無線信号を受信するのに用いられる。第二のアンテナ素子は、通信ホストが送信モードで動作する時、無線信号を送信するのに用いられる。論理判断回路は、通信ホストが受信モードまたは送信モードで動作するのか否か判断し、判断結果を発生させる。スイッチング回路は、論理判断回路に結合され、判断結果に基づき、第一のアンテナ素子または第二のアンテナ素子に選択的に結合されるのに用いられる。
【０００５】
本発明の実施形態における無線通信システムは、通信ホストと、外付けアンテナと、を含み、外付けアンテナは、通信ホストに結合される。外付けアンテナは、第一のアンテナ素子と、第二のアンテナ素子と、論理判断回路と、スイッチング回路とからなるアンテナ完成品である。第一のアンテナ素子は、通信ホストが受信モードで動作する時、無線信号を受信するのに用いられる。第二のアンテナ素子は、通信ホストが送信モードで動作する時、無線信号を送信するのに用いられる。論理判断回路は、通信ホストが受信モードまたは送信モードで動作するのか否か判断し、判断結果を発生させる。スイッチング回路は、論理判断回路に結合され、判断結果に基づき、第一のアンテナ素子または第二のアンテナ素子に選択的に結合されるのに用いられる。
【発明の効果】
【０００６】
上述に基づき、本発明の実施形態における外付けアンテナは、通信ホストに結合される。外付けアンテナは、リモートクライアントによって送信された無線信号を受信するのに用いられる第一のアンテナ素子と、リモートクライアントに無線信号を送信するのに用いられる第二のアンテナ素子と、論理判断回路と、スイッチング回路と、を含む。論理判断回路は、通信ホストが受信モードまたは送信モードで動作するのか判断し、判断結果をスイッチング回路に送信し、第一のアンテナ素子と第二のアンテナ素子とを切り換える。本発明の別の実施形態において、上記外付けアンテナと、通信ホストと、を含む無線通信システムを提供する。これにより、本発明の実施形態における外付けアンテナ及び無線通信システムは、アクティブ受信強化機能を有し、既存材料部品を用い、通信法規を違反せずに、使用が便利な条件下で、無線通信システムの受信能力と通信品質を強化することを達成できる。
【０００７】
本発明の上述した特徴と利点を更に明確化するために、以下に、実施例を挙げて図面と共に詳細な内容を説明する。
【図面の簡単な説明】
【０００８】
【図１】図１（Ａ）は、本発明の実施形態に基づく無線通信システムの側面模式図である。図１（Ｂ）は、図１（Ａ）の実施形態に基づく無線通信システムの別の角度の模式図である。
【図２】図２（Ａ）は、本発明の実施形態に基づく外付けアンテナの透視ブロック模式図である。図２（Ｂ）は、本発明の実施形態に基づく外付けアンテナの回路構造模式図である。
【図３】本発明の実施形態に基づく外付けアンテナの入出力インターフェースの拡大模式図である。
【図４】本発明の実施形態に基づく論理判断回路の回路模式図である。
【発明を実施するための形態】
【０００９】
図１（Ａ）は、本発明の実施形態に基づく無線通信システムの側面模式図である。図１（Ｂ）は、図１（Ａ）の実施形態に基づく無線通信システムの別の角度の模式図である。図１（Ａ）と図１（Ｂ）に示すように、無線通信システム１０は、少なくとも一本の外付けアンテナ１００と、通信ホスト２００と、を含み、外付けアンテナ１００は、通信ホスト２００に結合され、本実施形態において、外付けアンテナ１００は、外付けアクティブ受信強化型アンテナであってもよい。図面は、４本の外付けアンテナ１００を例として示すが、本発明は、アンテナの数を限定しない。
【００１０】
図２（Ａ）は、本発明の実施形態に基づく外付けアンテナの透視ブロック模式図である。図２（Ｂ）は、本発明の実施形態に基づく外付けアンテナの回路構造模式図である。図３は、本発明の実施形態に基づく外付けアンテナの入出力インターフェースの拡大模式図である。図１（Ａ）と図１（Ｂ）を併せて、図２（Ａ）〜図３を参照する。
【００１１】
本実施形態において、外付けアンテナ１００内部は、第一のアンテナ素子１１０と、第二のアンテナ素子１２０と、通信回路１５２と、を含み、第一のアンテナ素子１１０と第二のアンテナ素子１２０は、それぞれ外付けアンテナ１００の延伸方向上で対向する両端に配置される（図２（Ａ）に示すとおりである）。図２（Ｂ）に示すように、通信回路１５２は、論理判断回路１３０と、スイッチング回路１４０と、増幅回路１５０と、を含む。論理判断回路１３０は、通信ホスト２００に結合され、通信ホスト２００からの無線信号を伝送して、通信ホスト２００が受信モードまたは送信モードで動作するのか判断して、判断結果を発生させるのに用いられる。スイッチング回路１４０は、論理判断回路１３０に結合され、判断結果に基づき、第一のアンテナ素子１１０と第二のアンテナ素子１２０をそれぞれ論理判断回路１３０に切り換えるのに用いられる。増幅回路１５０は、第一のアンテナ素子１１０とスイッチング回路１４０の間に結合される。
【００１２】
外付けアンテナ１００は、クライアントからの無線信号を受信する時、以下、受信モードと称し、外付けアンテナ１００は、通信ホスト２００の、無線信号をクライアントに送信しようとする時、以下、送信モードと称する。
【００１３】
送信モードでは、第二のアンテナ素子１２０は、スイッチング回路１４０によって、論理判断回路１３０に導通し、この時、第一のアンテナ素子１１０は、開路状態を表し、また、通信ホスト２００は、第二のアンテナ素子１２０によって無線信号をクライアントに送信する。
【００１４】
受信モードでは、第一のアンテナ素子１１０は、スイッチング回路１４０によって、論理判断回路１３０に導通し、この時、第二のアンテナ素子１２０は、開路状態を表し、通信ホスト２００は、第一のアンテナ素子１１０によってリモートクライアントの無線信号を受信し、増幅回路１５０に送信し、増幅回路１５０は、第一のアンテナ素子１１０が受信した無線信号を増幅して、無線通信システム１０の受信能力を向上させる。詳細には、第一のアンテナ素子１１０は、受信した無線信号を変換し、続いて、増幅回路１５０は、上記無線信号を増幅して受信強度を向上させることから、通信ホスト２００が増幅回路１５０によって拡大された信号を受信することは、無線通信システム１０の受信能力を強化でき、即ち、増幅回路１５０を有する外付けアンテナによって受信能力を強化する。
【００１５】
以下に、本発明の実施形態の実施方式をさらに詳述する。
【００１６】
通信ホスト２００は、例えば、無線基地局（Ｗｉｒｅｌｅｓｓ  Ａｃｃｅｓｓ  Ｐｏｉｎｔ）、無線ルーター（Ｗｉｒｅｌｅｓｓ  Ｒｏｕｔｅｒ）、ブリッジ（Ｂｒｉｄｇｅ）またはゲートウェイ（Ｇａｔｅｗａｙ）、ユーザー端末装置（Ｃｕｓｔｏｍｅｒ  Ｐｒｅｍｉｓｅｓ  Ｅｑｕｉｐｍｅｎｔ，ＣＰＥ）等またはその他の無線通信能力を有するネットワーク伝送装置であり、ここでは限定しない。
【００１７】
外付けアンテナ１００は、それぞれ第一のアンテナ素子１１０または第二のアンテナ素子１２０によって無線信号の受信及び送信を実現しており、実施形態において、第一のアンテナ素子１１０または第二のアンテナ素子１２０は、例えば、二重周波数アンテナであってもよく、第一の周波数帯と第二の周波数帯をカバーすることができ、第一のアンテナ素子１１０と第二のアンテナ素子１２０のアンテナ構造は同じであっても、異なっていてもよい。例を挙げると、実施形態において、第一のアンテナ素子１１０または第二のアンテナ素子１２０（または両者）は、２．４ＧＨｚ周波数帯（即ち、第一の周波数帯）と５ＧＨｚ周波数帯（即ち、第二の周波数帯）をカバーすることができる。換言すると、実施形態において、外付けアンテナ１００は、ＷｉＦｉ及びブルートゥース（Ｂｌｕｅｔｏｏｔｈ）通信技術における動作周波数帯を支援できる。即ち、外付けアンテナ１００は、例えば、２．４ＧＨｚ周波数帯と５ＧＨｚ周波数帯をカバーするＷｉＦｉアンテナであってもよい。
【００１８】
図２（Ａ）の実施形態において、基板ノイズ（ｂｏａｒｄ  ｎｏｉｓｅ）または送信信号の干渉を避けるために、受信モードを担う第一のアンテナ素子１１０は、外付けアンテナ１００の上端に配置され、送信モードを担う第二のアンテナ素子１２０は、外付けアンテナ１００の下端に配置される。具体的には、第一のアンテナ素子１１０は、外付けアンテナ１００の通信ホスト２００から遠い一端に配置され、第二のアンテナ素子１２０は、外付けアンテナ１００の通信ホスト２００に近い他端に配置される。
【００１９】
本実施形態において、外付けアンテナ１００は、第一の入出力インターフェース１６０をさらに含む。第一の入出力インターフェース１６０は、メスコネクタであり、通信ホスト２００のワイヤに接続して直流／交流電源を受信するのに用いられる。この直流／交流電源は、増幅回路１５０に駆動電圧ＶＤＤ２を提供できる。具体的には、第一の入出力インターフェース１６０は、電源穴、Ｔｙｐｅ−Ｃインタフェースまたはユニバーサルシリアルバス（Ｕｎｉｖｅｒｓａｌ  Ｓｅｒｉａｌ  Ｂｕｓ，ＵＳＢ）インターフェースのような、物理的な電源伝送線を受け入れることができるものであり、無線電源の伝送を受信するための充電インターフェースであってもよいが、本発明はこれに対して限定せず、図３の実施例では、第一の入出力インターフェース１６０は、マイクロユニバーサルシリアルバス（Ｍｉｃｒｏ  ＵＳＢ）インターフェースを例としている。
【００２０】
図３を再び併せて図１を参照すると、本実施形態において、無線通信システム１０は、通信ホスト２００と外付けアンテナ１００を電気的に接続する伝送線２１０をさらに含み、伝送線２１０の一端は、通信ホスト２００のうちの一つの入出力インターフェース２６２に接続され、他端は第一の入出力インターフェース１６０に接続され、伝送線２１０は、通信ホスト２００から外付けアンテナ１００に直流/交流電源を提供するのに用いられる。例を挙げると、伝送線２１０は、ＵＳＢをＭｉｃｒｏ  ＵＳＢに変換する伝送線であり（これに限定しない）、即ち、伝送線２１０の通信ホスト２００に結合されるための伝送インターフェースは、標準ＵＳＢインターフェースであり、伝送線２１０の外付けアンテナ１００に結合されるための伝送インターフェースは、Ｍｉｃｒｏ  ＵＳＢインターフェースである。本実施形態において、伝送線２１０は、一つのＵＳＢコネクタを四つのＭｉｃｒｏ  ＵＳＢコネクタに変換する伝送線であり、一つの入出力インターフェース２６２だけを用いて、複数本の外付けアンテナ１００に電源を供給してもよいが、伝送線２１０は、一本に限定せず、その他の実施形態において、一つの入出力インターフェース２６２を用いて、一本の外付けアンテナ１００だけに電源を供給してもよい。
【００２１】
さらに説明することは、図面の第一の入出力インターフェース１６０と入出力インターフェース２６２の位置と実施形態は、例示及び説明しているだけで、本発明を限定するものではない。
【００２２】
本実施形態において、外付けアンテナ１００の第二の入出力インターフェース１７０は、通信ホスト２００の信号入出力インターフェース２７２に結合され、通信ホスト２００と信号伝送を行う。論理判断回路１３０は、第二の入出力インターフェース１７０によって無線信号を伝送し、また、第一の入出力インターフェース１６０と第二の入出力インターフェース１７０は、二つに分けられたインターフェースである。第二の入出力インターフェース１７０は、例えば、ＳＭＡ（Ｓｕｂ  Ｍｉｎｉａｔｕｒｅ  ｖｅｒｓｉｏｎ  Ａ）コネクタ、ＢＮＣ（Ｂａｙｏｎｅｔ  Ｎｅｉｌｌ-Ｃｏｎｃｅｌｍａｎ）コネクタまたはＮ−Ｔｙｐｅコネクタ、またはその他の無線信号を受信するためのコネクタ素子であるが、本発明はこれに対して限定しない。
【００２３】
上記実施形態からわかるように、外付けアンテナ１００は、第一の入出力インターフェース１６０と第二の入出力インターフェース１７０によって通信ホスト２００に電気的に接続される、即ち、外付けアンテナ１００と通信ホスト２００は、分離可能であることから、本発明の外付けアンテナ１００は、特定の通信ホスト２００に縛られる必要がなく、さらに、一般的に市販されている通信ホストのアンテナも本発明の外付けアンテナ１００に置き換えることができ、したがって、既存材料部品を用い、通信法規を違反せず、コストを削減する状況下で、通信ホスト２００の接続品質と通信能力を強化できる。
【００２４】
図４は、本発明の実施形態に基づく論理判断回路の回路模式図である。図４に示す論理判断回路は、上記実施形態に適用できる。図２（Ｂ）と図３を再び併せて図４を参照すると、論理判断回路１３０は、第二の入出力インターフェース１７０によって無線信号を伝送し、即ち、無線信号は図２（Ｂ）が示すＩＮ端から入力され、そして、第一の入出力インターフェース１６０によって直流電源（その電圧値は、例えば５Ｖである）を受信し、即ち、直流電源は図２（Ｂ）が示すＶＤＤ１端から入力される。論理判断回路１３０において、無線信号は、通信ホスト２００が受信モードまたは送信モードで動作するのかを指示することを判断し、判断結果ＤＥＴを発生させる。具体的には、図４の実施形態において、論理判断回路１３０は、ダイオード１３４と、コンパレータ１３２と、を含み、コンパレータ１３２は、通信ホスト２００に結合され、ダイオード１３４は、コンパレータ１３２とスイッチング回路１４０の間に結合され、スイッチング回路１４０は、例えば、ＲＦスイッチ（Ｒａｄｉｏ  Ｆｒｅｑｕｅｎｃｙ  Ｓｗｉｔｃｈ）である。コンパレータ１３２は、第一の入出力インターフェース１６０によって、通信ホスト２００に提供された直流／交流電源、即ち、駆動電圧ＶＤＤ１と駆動電圧ＶＤＤ２を受信し、駆動する。例えば、駆動電圧ＶＤＤ１は、５Ｖであり、駆動電圧ＶＤＤ２は、３．３Ｖであるがこれに限定しない。
【００２５】
本実施形態において、コンパレータ１３２は、第二の入出力インターフェース１７０によって通信ホスト２００に提供された試験中の無線信号ＴＸ＿ＤＥＴも受信し、イネーブル信号ＴＸ＿ＥＮと試験中の無線信号ＴＸ＿ＤＥＴを比較し、受信した試験中の無線信号ＴＸ＿ＤＥＴは、受信モードまたは送信モードを行おうとしているのか判断し、ダイオード１３４は、試験中の無線信号ＴＸ＿ＤＥＴを受信して、電圧信号（即ち、判断結果ＤＥＴ）に変換し、論理判断回路１３０は、判断結果ＤＥＴをスイッチング回路１４０に提供し、スイッチング回路１４０は、判断結果ＤＥＴに基づき、受信モードと送信モードを切り換える。詳細には、実施形態において、判断結果ＤＥＴがローレベル信号（例えば、論理ローレベル）である時、スイッチング回路１４０は、第一のアンテナ素子１１０に切り換えて、受信モードを行い、判断結果ＤＥＴがハイレベル信号（例えば、論理ハイレベル）である時、スイッチング回路１４０は、第二のアンテナ素子１２０に切り換えて、送信モードを行う。
【００２６】
特に説明することは、図４で使用される複数の抵抗Ｒ、複数のキャパシタＣまたはインダクタンスＬ及び回路構造は、回路を説明する実施態様するだけで、本発明を限定するためではなく、複数の抵抗Ｒの間の抵抗値は同じとは限らず、複数のキャパシタＣの間のキャパシタ値も同じとは限らず、当業者は、図４の回路構造及び通常の知識から十分な教示を得ることができ、ここでは、さらに説明しない。
【００２７】
以下は、本発明の実施形態における実験結果であり、異なる距離の下で、同じ通信ホストと同じリモートクライアントの条件下で、製造元の通信ホストを用いたアンテナおよび外付けアンテナ１００に置き換えた信号送信及び受信能力を測定する。ここで、通信ホストは、ルーターＴＰ−Ｌｉｎｋ  Ａｒｃｈｅｒ  Ｃ２であり、リモートクライアントは、ＡｓｕｓのノートパソコンＸ５５０Ｖであり、使用するアンテナの数は、二本に維持する。
【００２８】
表１と表２は、それぞれ２．４Ｇと５Ｇにおける測定周波数範囲の下、それぞれ通信ホストとリモートクライアントの距離が３０ｍと５０ｍの条件下で、測定された信号送信伝送及び受信能力を示す。ここで、ＴＸは、ネットワーク送信伝送速度を表し、ＲＸは、ネットワーク受信伝送速度を表す。
【表１】
2019122026.tif 000003
【表２】
2019122026.tif 000004
【００２９】
実験結果からわかるように、同じ通信ホストは、本発明の実施形態における外付けアンテナに置き換えた後、無線信号を受信する能力及び接続品質は明らかに向上しており、特に、長距離範囲において効果はさらに顕著である。
【００３０】
以上より、本発明の実施形態における外付けアンテナ及び無線通信システムについて、外付けアンテナは、通信ホストに結合され、外付けアンテナは、第一のアンテナ素子と、第二のアンテナ素子と、論理判断回路と、増幅回路と、スイッチング回路と、を含む。論理判断回路は、通信ホストが無線信号を受信しようとするのかまたは無線信号を送信しようとするのか判断し、判断結果をスイッチング回路に送信し、第一のアンテナ素子または第二のアンテナ素子を切り換える。第一のアンテナ素子は、無線信号の受信動作を行うのに用いられ、第二のアンテナ素子は、無線信号の送信を行うのに用いられ、二組のアンテナ素子を用いることで、それぞれ無線信号を受信及び送信し、また、第一のアンテナ素子と第二のアンテナ素子は、それぞれ外付けアンテナの延伸方向上で対向する両端に配置されることから、ノイズを低減し、通信品質を向上できる。第一のアンテナ素子は、無線信号を受信した後、増幅回路によって増幅されることから、低電力の条件下で受信能力を強化できる。また、外付けアンテナは、容易に、通信ホストと分離または結合できることから、異なる通信ホストに合わせて、使用上の柔軟性を向上できる。これにより、本発明の実施形態における外付けアンテナ及び無線通信システムは、既存材料部品を用い、通信法規を違反せずに、低コストで、使用が便利な条件下で、無線通信システムの受信能力と通信品質を強化できる。
【００３１】
本文は以上の実施例のように示したが、これに限られるものではなく、当業者が本発明の精神の範囲から逸脱しない範囲において、変更又は修正することが可能であるが故に、本発明の保護範囲は均等の範囲にまで及ぶものとする。
【産業上の利用可能性】
【００３２】
本発明は、低コストで、使用が便利な条件下で、無線通信システムの受信能力と通信品質を強化できる外付けアンテナ及び無線通信システムを提供する。
【符号の説明】
【００３３】
１０：無線通信システム
１００：外付けアンテナ
１１０：第一のアンテナ素子
１２０：第二のアンテナ素子
１３０：論理判断回路
１３２：コンパレータ
１３４：ダイオード
１４０：スイッチング回路
１５０：増幅回路
１５２：通信回路
１６０：第一の入出力インターフェース
１７０：第二の入出力インターフェース
２００：通信ホスト
２１０：伝送線
２６２：入出力インターフェース
２７２：信号入出力インターフェース
ＤＥＴ：判断結果
ＩＮ：入力端
ＴＸ＿ＥＮ：イネーブル信号
ＴＸ＿ＤＥＴ：試験中の無線信号
ＶＤＤ１、ＶＤＤ２：駆動電圧
【図１】
2019122026.tif 000005
【図２】
2019122026.tif 000006
【図３】
2019122026.tif 000007
【図４】
2019122026.tif 000008